(57)【要約】【課題】外刃の孔に体毛をより深く入り込ませてより効果的に体毛を剃る際に、押付力の過大化を抑制する。【解決手段】刃ヘッド３を、ソレノイド１１を介してグリップ部１に取り付ける。ソレノイド１１は、固定鉄心１９を保持するフレーム１３を介して刃ヘッド支持体２７に取り付け、刃ヘッド支持体２７は、グリップ部１のグリップ部ハウジング９にコイルスプリング２９を介して弾性支持される。可動鉄心２１は、固定鉄心１９に対し刃ヘッド３と反対側に配置し、可動鉄心２１から固定鉄心１９を貫通して延びるロッド２５の先端を刃ヘッド３のヘッドベース８に固定する。【選択図】図１
2009232890.tif 000002
【特許請求の範囲】
【請求項１】
外刃と、この外刃に対しその内側に位置して往復移動することで外刃と協働して体毛を剃る内刃とを備える刃ヘッド全体を、この刃ヘッド全体を支持するかみそり器本体に対しソレノイドへの通電・非通電により、前記外刃の皮膚への押し付け方向に向けて振動させるかみそり器であって、前記ソレノイドは、前記刃ヘッドの皮膚への押し付け力の増加に伴って固定鉄心と可動鉄心との間隔が広くなるよう構成したことを特徴とするかみそり器。
【請求項２】
前記固定鉄心を前記かみそり器本体に取り付け、前記可動鉄心を前記固定鉄心に対し前記刃ヘッドと反対側に配置し、前記刃ヘッドの前記皮膚への押し付け動作に伴う後退移動を前記可動鉄心に伝達する押付力伝達部を設けたことを特徴とする請求項１に記載のかみそり器。
【請求項３】
前記押付力伝達部は、前記可動鉄心から前記固定鉄心を貫通して延び前記刃ヘッドに固定したロッドであることを特徴とする請求項２に記載のかみそり器。
【請求項４】
前記刃ヘッドを弾性体を介して前記かみそり器本体に取り付け、前記押付力伝達部を、前記可動鉄心から前記固定鉄心を貫通して延びるロッドとし、このロッドの先端を前記刃ヘッドに当接させたことを特徴とする請求項２に記載のかみそり器。
【請求項５】
前記刃ヘッドを弾性体を介して前記かみそり器本体に取り付け、前記押付力伝達部を、前記可動鉄心から前記固定鉄心を貫通して延びるロッドとし、このロッドの先端と前記刃ヘッドとの間に、前記刃ヘッドを前記弾性体によって支持した状態で隙間を設け、前記刃ヘッドが前記弾性体を圧縮させて後退移動したときに、前記ロッドの先端と前記刃ヘッドとが接触することを特徴とする請求項２に記載のかみそり器。
【請求項６】
前記刃ヘッドを弾性体を介して前記かみそり器本体に取り付け、前記押付力伝達部を、前記可動鉄心から前記固定鉄心を貫通して延びるロッドとし、このロッドの先端を前記刃ヘッドに固定し、前記弾性体は、前記ソレノイドの前記間隔を維持するための弾性体の機能を有することを特徴とする請求項２に記載のかみそり器。
【請求項７】
前記可動鉄心を前記かみそり器本体に取り付け、前記固定鉄心を、前記可動鉄心に対し前記刃ヘッドと反対側に配置させて前記刃ヘッドに取り付け、前記刃ヘッドを弾性体を介して、前記かみそり器本体との間と、前記可動鉄心との間の、少なくともいずれか一方に支持させたことを特徴とする請求項１に記載のかみそり器。
【請求項８】
前記弾性体を、前記刃ヘッドと前記かみそり器本体との間と、前記刃ヘッドと前記可動鉄心との間とのいずれか一方に設け、この弾性体は、前記ソレノイドの前記間隔を維持するための弾性体の機能を有することを特徴とする請求項７に記載のかみそり器。
【請求項９】
前記固定鉄心を前記刃ヘッドに取り付け、この刃ヘッドを前記かみそり器本体に弾性体を介して支持させ、前記可動鉄心を前記固定鉄心と前記刃ヘッドとの間に配置し、前記可動鉄心から延びるロッドを前記固定鉄心を貫通させるとともに、該ロッドの先端と前記かみそり器本体との間に隙間を設け、前記刃ヘッドが前記弾性体を圧縮させて後退移動したときに、前記ロッドの先端と前記かみそり器本体とが接触することを特徴とする請求項１に記載のかみそり器。
【請求項１０】
前記隙間に緩衝部材を設けたことを特徴とする請求項５または９に記載のかみそり器。
【請求項１１】
前記固定鉄心と可動鉄心との間に粘弾性材を設けたことを特徴とする請求項１ないし１０のいずれか１項に記載のかみそり器。
【発明の詳細な説明】
【技術分野】
【０００１】
本発明は、外刃と、この外刃の内側にて往復移動することで外刃と協働して体毛を剃る内刃とを備えるかみそり器に関する。
【背景技術】
【０００２】
電気かみそり器は、通常網状の外刃と、外刃の内側に位置してその内面に沿って往復移動する内刃とを備え、外刃の多数の小孔にヒゲを入り込ませた状態で内刃が往復移動することでヒゲを剃ることができる。その際、より確実なヒゲ剃り効果を得るために、皮膚を伸ばしたり外刃を皮膚表面に強く押し付けることがあるが、充分な効果を得ることが難しい。
【０００３】
そこで例えば下記特許文献１には、外刃を皮膚表面に押し付けるために、外刃を皮膚面に対して垂直に振動させるものが記載されている。
【特許文献１】特表２０００−５１３９７６号公報（第１５頁，図１）
【発明の開示】
【発明が解決しようとする課題】
【０００４】
しかしながら、刃ヘッドを皮膚に対して余り強く押し付けすぎると、上記の刃ヘッドの振動とも相俟って外刃が損傷したり皮膚を痛めたりするなどの不具合が発生し、また刃ヘッドを皮膚に押し付けたまま移動させる際の摩擦力が大きくなってしまう。
【０００５】
そこで本発明は、外刃の孔に体毛をより深く入り込ませてより効果的に体毛を剃る際に、押付力の過大化を抑制することを目的としている。
【課題を解決するための手段】
【０００６】
請求項１の発明は、外刃と、この外刃に対しその内側に位置して往復移動することで外刃と協働して体毛を剃る内刃とを備える刃ヘッド全体を、この刃ヘッド全体を支持するかみそり器本体に対しソレノイドへの通電・非通電により、前記外刃の皮膚への押し付け方向に向けて振動させるかみそり器であって、前記ソレノイドは、前記刃ヘッドの皮膚への押し付け力の増加に伴って固定鉄心と可動鉄心との間隔が広くなるよう構成したことを特徴とする。
【０００７】
請求項２の発明は、請求項１に記載のかみそり器であって、前記固定鉄心を前記かみそり器本体に取り付け、前記可動鉄心を前記固定鉄心に対し前記刃ヘッドと反対側に配置し、前記刃ヘッドの前記皮膚への押し付け動作に伴う後退移動を前記可動鉄心に伝達する押付力伝達部を設けたことを特徴とする。
【０００８】
請求項３の発明は、請求項２に記載のかみそり器であって、前記押付力伝達部は、前記可動鉄心から前記固定鉄心を貫通して延び前記刃ヘッドに固定したロッドであることを特徴とする。
【０００９】
請求項４の発明は、請求項２に記載のかみそり器であって、前記刃ヘッドを弾性体を介して前記かみそり器本体に取り付け、前記押付力伝達部を、前記可動鉄心から前記固定鉄心を貫通して延びるロッドとし、このロッドの先端を前記刃ヘッドに当接させたことを特徴とする。
【００１０】
請求項５の発明は、請求項２に記載のかみそり器であって、前記刃ヘッドを弾性体を介して前記かみそり器本体に取り付け、前記押付力伝達部を、前記可動鉄心から前記固定鉄心を貫通して延びるロッドとし、このロッドの先端と前記刃ヘッドとの間に、前記刃ヘッドを前記弾性体によって支持した状態で隙間を設け、前記刃ヘッドが前記弾性体を圧縮させて後退移動したときに、前記ロッドの先端と前記刃ヘッドとが接触することを特徴とする。
【００１１】
請求項６の発明は、請求項２に記載のかみそり器であって、前記刃ヘッドを弾性体を介して前記かみそり器本体に取り付け、前記押付力伝達部を、前記可動鉄心から前記固定鉄心を貫通して延びるロッドとし、このロッドの先端を前記刃ヘッドに固定し、前記弾性体は、前記ソレノイドの前記間隔を維持するための弾性体の機能を有することを特徴とする。
【００１２】
請求項７の発明は、請求項１に記載のかみそり器であって、前記可動鉄心を前記かみそり器本体に取り付け、前記固定鉄心を、前記可動鉄心に対し前記刃ヘッドと反対側に配置させて前記刃ヘッドに取り付け、前記刃ヘッドを弾性体を介して、前記かみそり器本体との間と、前記可動鉄心との間の、少なくともいずれか一方に支持させたことを特徴とする。
【００１３】
請求項８の発明は、請求項７に記載のかみそり器であって、前記弾性体を、前記刃ヘッドと前記かみそり器本体との間と、前記刃ヘッドと前記可動鉄心との間とのいずれか一方に設け、この弾性体は、前記ソレノイドの前記間隔を維持するための弾性体の機能を有することを特徴とする。
【００１４】
請求項９の発明は、請求項１に記載のかみそり器であって、前記固定鉄心を前記刃ヘッドに取り付け、この刃ヘッドを前記かみそり器本体に弾性体を介して支持させ、前記可動鉄心を前記固定鉄心と前記刃ヘッドとの間に配置し、前記可動鉄心から延びるロッドを前記固定鉄心を貫通させるとともに、該ロッドの先端と前記かみそり器本体との間に隙間を設け、前記刃ヘッドが前記弾性体を圧縮させて後退移動したときに、前記ロッドの先端と前記かみそり器本体とが接触することを特徴とする。
【００１５】
請求項１０の発明は、請求項５または９に記載のかみそり器であって、前記隙間に緩衝部材を設けたことを特徴とする。
【００１６】
請求項１１の発明は、請求項１ないし１０のいずれか１項に記載のかみそり器であって、前記固定鉄心と可動鉄心との間に粘弾性材を設けたことを特徴とする。
【発明の効果】
【００１７】
請求項１の発明によれば、刃ヘッドの皮膚への押し付け力の増加に伴って、ソレノイド駆動による刃ヘッド振動時の外刃の皮膚への押し付け力が減少するので、刃ヘッドの皮膚への押し付け過ぎによる皮膚や外刃の損傷及び、刃ヘッドを皮膚に押し付けたまま移動させる際の摩擦力を減少させつつ、外刃の孔に体毛をより深く入り込ませて効果的に剃ることができる。
【００１８】
請求項２〜４の発明によれば、刃ヘッドを皮膚へ押し付けると、可動鉄心が押付力伝達部を介して固定鉄心から離れるように、刃ヘッドとともに後退して可動鉄心と固定鉄心との間隔を広げることができる。
【００１９】
請求項５または９の発明によれば、刃ヘッドを皮膚へ押し付けたときに、押し付け力が弱い押し付け当初は、隙間によってソレノイド駆動による振動が刃ヘッドに伝わらないので、押し付け当初の押し付け力の過大化を抑制して不快感を抑えることができる。
【００２０】
請求項６または８の発明によれば、ソレノイドの固定鉄心と可動鉄心との間隔を維持するための専用の弾性体を廃止できるので、その分部品点数が減少する。
【００２１】
請求項７の発明によれば、刃ヘッドを皮膚へ押し付けると、固定鉄心が弾性体の弾力に抗して可動鉄心から離れるように、刃ヘッドとともに後退して可動鉄心と固定鉄心との間隔を広げることができる。
【００２２】
請求項１０の発明によれば、ロッドの先端が、刃ヘッドまたはかみそり器本体に当接して振動する際の衝撃を吸収し、衝撃音を抑えることができる。
【００２３】
請求項１１の発明によれば、可動鉄心が固定鉄心に対して相対的に接近して接触する際に、粘弾性体の移動速度が高くなるに従って変形抵抗が大きくなる性質により、衝撃吸収性が向上してソレノイドの動作がより円滑となる。
【発明を実施するための最良の形態】
【００２４】
以下、本発明の実施の形態を図面に基づき説明する。
【００２５】
図１は、本発明の第１の実施形態を示すかみそり器として電気かみそり器（シェーバ）のグリップ部１の一部を簡略化した断面図として示す正面図である。グリップ部１の先端には、刃ヘッド３が図１中で上下方向に移動可能に取り付けられ、刃ヘッド３は、ヘッドハウジング５の先端に外刃７を備えている。ヘッドハウジング５はグリップ部１側が開口しており、この開口部にヘッドベース８を装着している。
【００２６】
外刃７は、直径数百μｍ程度の無数の孔を有する網状であり、この外刃７の内側に図示しない内刃を配置している。内刃は、ヘッドハウジング５内にてヘッドベース８に取り付けてある図示しない振動源により、外刃７の長手方向（図１中で左右方向）に沿って往復移動するように振動し、このとき外刃７の孔に体毛である例えばヒゲを入り込ませることで外刃７と協働してヒゲを剃ることになる。
【００２７】
グリップ部１は、かみそり器本体を構成しており、グリップ部ハウジング９の刃ヘッド３側に形成してある空間９ａ内にソレノイド１１を収容している。このソレノイド１１は、ヒゲ剃り時に、刃ヘッド３をその先端の外刃７による図示しない皮膚への押し付け方向（図１中で上方）に向けて振動させるものである。
【００２８】
上記したソレノイド１１は、円筒形状のフレーム１３内に、ボビン１５に巻かれた環状のコイル１７を収容し、このコイル１７の刃ヘッド３側に固定鉄心１９を、刃ヘッド３と反対側に可動鉄心２１をそれぞれ備えている。フレーム１３は、円筒部１３ａと、可動鉄心２１側のコイル１７の端部を覆う端板部１３ｂとを備える。
【００２９】
固定鉄心１９は、コイル１７の端部を覆うフランジ１９ａと、ボビン１５内に挿入される鉄心本体１９ｂとを備え、これらフランジ１９ａ及び鉄心本体１９ｂにはそれぞれの中心を貫通する貫通孔１９ｃを備えている。
【００３０】
一方可動鉄心２１は、フレーム１３の端板部１３ｂに対向するフランジ２１ａと、ボビン１５内に移動可能に挿入される鉄心本体２１ｂとを備え、フランジ２１ａとフレーム１３の端板部１３ｂとの間には、固定鉄心１９と可動鉄心２１との間の間隔であるギャップＧを確保するための弾性体であるコイルスプリング２３を設けている。
【００３１】
上記した可動鉄心２１の鉄心本体２１ｂから固定鉄心１９側に向けて押付力伝達部としてのロッド２５を一体的に突出させる。このロッド２５は、固定鉄心１９の貫通孔１９ｃに移動可能に挿入され、その先端を前記した刃ヘッド７のベース部８に固定してあり、可動鉄心２１とは別材料で構成してある。
【００３２】
そして、上記したソレノイド１１を、フレーム１３の円筒部１３ａを介して円筒形状の刃ヘッド支持体２７の内部に固定し、刃ヘッド支持体２７は、グリップ部ハウジング９の前記した空間９ａの底部９ｂにコイルスプリング２９を介して支持されている。すなわち刃ヘッド３は、ソレノイド１１及び刃ヘッド支持体２７を介し、コイルスプリング２９によってグリップ部ハウジング９に弾性的に支持されており、その際コイルスプリング２９は、刃ヘッド３を皮膚に押し付けたときに収縮して適度なサスペンション機能を発揮する。
【００３３】
また、刃ヘッド支持体２７は、コイルスプリング２９と反対側の端部が、グリップ部ハウジング９の端壁９ｄに当接可能であり、これにより抜け止めとなる。端壁９ｄには、ロッド２５を通過させる開口９ｅを形成してある。
【００３４】
なお、刃ヘッド３側の内刃の振動源及びソレノイド１１を駆動するための電源や制御回路は、特に図示していないが、グリップ部ハウジング９内に設けてあるものとする。
【００３５】
以上の構成による電気かみそり器は、グリップ部１に設けてある図示しないスイッチの投入により、刃ヘッド３内の振動源の動作によって内刃が図１中で左右方向に振動し、前記したように外刃７と協働してヒゲを剃ることになる。
【００３６】
これと同時、ソレノイド１１に対しては、図示しない制御回路を通して適宜オン・オフ信号が付与されて可動鉄心２１が固定鉄心１９に対して接近離反移動を繰り返す。このソレノイド１１の往復移動に伴って、ロッド２５を介して可動鉄心２１に固定されている刃ヘッド３も同方向に往復移動して振動することになる。
【００３７】
すなわち、刃ヘッド３全体を、この刃ヘッド３全体を支持するかみそり器本体に対しソレノイド１１への通電・非通電（通電制御）により、外刃７の皮膚への押し付け方向に向けて振動させている。
【００３８】
この刃ヘッド３の振動は、図示しない皮膚に対して接近移動するときに皮膚を押し付けることになるので、単に人の力による押し付け力と違って押し付け力を最適に設定することが可能であり、したがって外刃７の小孔にヒゲをより深く入り込ませることができ、ヒゲ剃り効果を得ることができる。
【００３９】
この際使用者が、グリップ部１を把持した状態で、刃ヘッド３の皮膚に対する押し付ける力を増加させていくと、ロッド２５を介して可動鉄心２１が後退し、固定鉄心１９から離れ、これにより可動鉄心２１と固定鉄心１９との間のギャップＧが広く（大きく）なる。
【００４０】
ギャップＧが広くなることで、可動鉄心２１は、コイル１７への通電により発生する磁界から受ける力が減少し、可動鉄心２１が往復移動する際の刃ヘッド３に伝達する振動力が弱いものとなる。
【００４１】
すなわち、刃ヘッド３による皮膚への押し付け力が小さい押し付け初期には、刃ヘッド３の皮膚へ及ぼす振動力が大きく、押し付け力が大きくなるに従って振動力が小さくなる。
【００４２】
このため、押し付け力が小さいときには、大きい振動力によって深剃り効果が得られ、押し付け力が大きくなると、この押し付け力の増加分が振動力の低下によって相殺されるので、皮膚が受ける押し付け力は、使用者による押し付け力が変化してもほぼ均一化することができ、深剃り効果を継続して得ることができる。
【００４３】
したがって本実施形態では、特に使用者による刃ヘッド３の皮膚への押し付け力が増加したときに、皮膚が受ける押し付け力が大きくなりすぎることによる、皮膚や外刃の損傷及び、刃ヘッド３を皮膚に押し付けたまま移動させる際の摩擦力を減少させることができ、また刃ヘッド３を皮膚に強く押し付けた状態での強い振動力による不快感も抑えることができる。
【００４４】
図２，図３は参考例で、図１と同一の構成部分には同一の符号を付してある。この各参考例は、刃ヘッド３の振動源として前記図１の実施形態と同様にソレノイド１１を使用しているが、刃ヘッド３を皮膚に押し付けて後退させたときに、図２では刃ヘッド支持体２７を介して固定鉄心１９が可動鉄心２１に接近してギャップＧが狭く（小さく）なり、図３でも同様に、刃ヘッド支持体２７を介して可動鉄心２１が固定鉄心１９に接近してギャップＧが狭く（小さく）なる。
【００４５】
したがって、上記した各参考例では、前記した本発明の実施形態とは逆に、刃ヘッド３の皮膚への押し付け力の増加に伴って、ソレノイド１１の駆動による刃ヘッド３に付与する振動力が大きくなってしまうので、使用者が押し付け力を増加させたときに、刃ヘッド３による皮膚が受ける押し付け力の過大化による皮膚や外刃７の損傷及び、刃ヘッド３を皮膚に押し付けたまま移動させる際の摩擦力が増大することになり、また不快感も生じることになる。
【００４６】
また、前記図１に示した本発明の第１の実施形態では、刃ヘッド３がロッド２５のみを介して可動鉄心２１に連結されているので、振動部分の質量が図２，図３に示した参考例に比較して小さくなり、刃ヘッド３をより少ない電力で効率よく振動させることができる。
【００４７】
図４は、本発明の第２の実施形態を示す、前記図１に対応する電気かみそり器の正面図であり、前記した図１と同一の構成部分には同一の符号を付し、異なる部分を主として説明する。第２の実施形態は、グリップ部ハウジング９内の空間９ａを断面ほぼＴ字形状とし、その空間９ａの図４中で下部領域の底部側空間９ａ１の周壁にソレノイド１１をフレーム１３を介して固定している。
【００４８】
ソレノイド１１のフレーム１３の端板部１３ｂと空間９ａの底部９ｂとの間には、間隙３１を設け、この間隙３１に可動鉄心２１のフランジ２１ａ及びコイルスプリング２３を収容している。
【００４９】
一方、刃ヘッド３のヘッドベース８には刃ヘッド支持体２７を固定する。この刃ヘッド支持体２７は、ヘッドベース８に固定する固定ブロック２７ａと、固定ブロック２７ａのヘッドベース８と反対側に設けてあるフランジ２７ｂとを有し、フランジ２７ｂを前記した空間９ａの図４中で上部領域の開口側空間９ａ２内に収容する。
【００５０】
そして、このフランジ２７ｂと開口側空間９ａ２の底部９ｃとの間に、サスペンションとなる弾性体であるコイルスプリング２９を介装し、これにより刃ヘッド３は刃ヘッド支持体２７を介し、コイルスプリング２９によりグリップ部ハウジング９に対して弾性的に支持される。この際フランジ２７ｂは、グリップ部ハウジング９の端壁９ｄに当接可能として抜け止めとなり、端壁９ｄの開口９ｅには刃ヘッド支持体２７の固定ブロック２７ａが挿入される。
【００５１】
ここで本実施形態では、可動鉄心２１の鉄心本体２１ｂから延びるロッド２５の先端を、前記図１に示した第１実施形態と同様に固定鉄心１９の貫通孔１９ｃ動可能に挿入しているが、その先端を刃ヘッド支持体２７に固定せず、単に当接させている。
【００５２】
このような構成の第２の実施形態においても、ソレノイド１１に対し適宜オン・オフ信号を付与することで可動鉄心２１が固定鉄心１９に対して接近離反移動を繰り返し、ソレノイド１１の可動鉄心２１の往復移動による振動が刃ヘッド支持体２７を介して刃ヘッド３に伝達される。
【００５３】
そして、本実施形態においても、使用者が刃ヘッド３の皮膚に対する押し付ける力を増加させていくと、ロッド２５を介して可動鉄心２１が後退し、固定鉄心１９から離れ、これにより可動鉄心２１と固定鉄心１９との間のギャップＧが広くなるので、前記した第１の実施形態と同様の効果を得ることができる。
【００５４】
図５は、本発明の第３の実施形態を示す、前記図１に対応する電気かみそり器の正面図であるが、この実施形態は、前記図４に示した第２の実施形態におけるコイルスプリング２３を廃止した例である。但し、ロッド２５の先端は刃ヘッド支持体２７に固定している。その他の構成は、第２の実施形態と同様である。
【００５５】
したがって、ここでは、サスペンション機能を有するコイルスプリング２９が、固定鉄心１９と可動鉄心２１とのギャップＧを維持するための弾性体を共用している。このため、本実施形態ではギャップＧを維持するための専用の弾性体を廃止できるので、その分部品点数が減少し、コスト低下及び軽量化を達成できる。
【００５６】
図６は、本発明の第４の実施形態を示す、前記図１に対応する電気かみそり器の正面図であるが、この実施形態は、前記図４に示した第２の実施形態に対し、ロッド２５の先端を刃ヘッド支持体２７に対して隙間３３を形成している。その他の構成は、第２の実施形態と同様である。
【００５７】
このような構成の第４の実施形態においても、ソレノイド１１に対し適宜オン・オフ信号を付与することで可動鉄心２１が固定鉄心１９に対して接近離反移動を繰り返すが、ロッド２５の先端が当初は刃ヘッド支持体２７に対して離れているので刃ヘッド３は振動しない。
【００５８】
その後刃ヘッド３を皮膚に押し付けていくと、刃ヘッド支持体２７がロッド２５に当接し、ソレノイド１１の可動鉄心２１の往復移動による振動が刃ヘッド３に伝達され、以後は図４に示した第２の実施形態と同様の動きとなる。
【００５９】
すなわち、本実施形態においても、刃ヘッド３の皮膚に対する押し付ける力を増加させていくと、ロッド２５を介して可動鉄心２１が後退し、固定鉄心１９から離れ、これにより可動鉄心２１と固定鉄心１９との間のギャップＧが広がることになるので、前記した第１の実施形態と同様の効果を得ることができる。
【００６０】
また、本実施形態では、刃ヘッド３を皮膚に押し付ける当初は、ソレノイド１１の振動が刃ヘッド３に伝わらないので、押し付け当初の押し付け力の過大化を抑制して不快感を抑えることができる。
【００６１】
図７は、本発明の第５の実施形態を示す、前記図１に対応する電気かみそり器の正面図であるが、この実施形態は、前記図６に示した第４の実施形態に対し、ロッド２５の先端に対向する位置の刃ヘッド支持体２７と、グリップ部ハウジング９の空間９ａの底部９ｂに、緩衝部材としての粘弾性体３５，３７をそれぞれ取り付けている。
【００６２】
粘弾性体３５，３７を設けることで、ロッド２５の先端が、刃ヘッド３側の刃ヘッド支持体２７に当接して振動する際の衝撃を吸収するとともに、また可動鉄心２１がグリップ部ハウジング９の空間９ａの底部９ｂに当接して振動する際の衝撃を吸収し、衝撃音を抑えることができ、製品として信頼性が向上する。
【００６３】
また、可動鉄心２１が固定鉄心１９に対して相対的に接近して接触する際に、粘弾性体３５，３７はその特性により移動速度が高くなるに従って変形抵抗が大きくなるので、衝撃吸収性が向上してソレノイド１１の動作がより円滑となる。
【００６４】
図８は、本発明の第６の実施形態を示す、前記図１に対応する電気かみそり器の正面図であるが、この実施形態は、固定鉄心１９と可動鉄心２１とのギャップＧに、前記図６に示した第４の実施形態のコイルスプリング２３に相当するコイルスプリング３２を設けている。すなわち、このコイルスプリング３２は、固定鉄心１９と可動鉄心２１とのギャップＧを維持するための弾性体を構成しており、これにより第４の実施形態に対しコイルスプリング３２の小型化を達成できる。
【００６５】
図９は、本発明の第７の実施形態を示す、前記図１に対応する電気かみそり器の正面図であるが、この実施形態は、前記図８に示した第６の実施形態のコイルスプリング３１に代えて粘弾性体３９を設けたものである。
【００６６】
したがって、本実施形態では、粘弾性体３９の特性により移動速度が高くなるに従って変形抵抗が大きくなるので、衝撃吸収性が向上してソレノイド１１の動作がより円滑となる。
【００６７】
図１０は、本発明の第８の実施形態を示す、前記図１に対応する電気かみそり器の正面図であり、前記した図１と同一の構成部分には同一の符号を付し、異なる部分を主として説明する。第８の実施形態は、刃ヘッド３を、刃ヘッド支持体２７を介してソレノイド１１の固定鉄心１９側に固定している。
【００６８】
この刃ヘッド支持体２７は、ヘッドベース８に固定されて開口９ｅ内に挿入される固定ブロック２７ａと、固定ブロック２７ａの周縁からヘッドベース８と反対側に突出する円筒形状のソレノイド取付部２７ｃとを有し、ソレノイド取付部２７ｃを前記した空間９ａに収容する。
【００６９】
ソレノイド取付部２７ｃは、サスペンションとなるコイルスプリング２９により空間９ａ内の底部９ｂに支持させ、ソレノイド取付部２７ｃのコイルスプリング２９と反対側の端部は、グリップ部ハウジング９の端壁９ｄに当接して抜け止めとなる。
【００７０】
一方、可動鉄心２１は、固定鉄心１９に対して刃ヘッド３側に配置し、可動鉄心２１の鉄心本体２１ｂから固定鉄心１９側に向けてロッド２５を一体的に突出させる。このロッド２５は、固定鉄心１９の貫通孔１９ｃを貫通して挿入され、さらにソレノイド取付部２７ｃの貫通孔２７ｄを貫通してその先端をグリップ部ハウジング９に固定する。
【００７１】
可動鉄心２１のフランジ２１ａは、ソレノイド１１と固定ブロック２７ａとの間のソレノイド取付部２７ｃ内に配置し、このフランジ２１ａと固定ブロック２７ａとの間にコイルスプリング２３を介装する。
【００７２】
このような構成の第８の実施形態においては、ソレノイド１１に対し適宜オン・オフ信号を付与することで、可動鉄心２１が固定鉄心１９に対して相対的に接近離反移動を繰り返すが、可動鉄心２１をグリップ部ハウジング９に固定しているので、グリップ部ハウジング９と一体の可動鉄心２１に対し、固定鉄心１９が可動鉄心２１に対して接近離反移動することになる。
【００７３】
ここで本実施形態では、固定鉄心１９は刃ヘッド支持体２７を介して刃ヘッド３に一体化しているので、ソレノイド駆動によって刃ヘッド３が前記した各実施形態と同様にして振動することになる。
【００７４】
そして本実施形態においても、刃ヘッド３の皮膚に対する押し付ける力を増加させていくと、刃ヘッド支持体２７を介して固定鉄心１９が後退して可動鉄心２１から離れるので、可動鉄心２１と固定鉄心１９との間のギャップＧが広がることになり、したがって前記した第１の実施形態と同様の効果を得ることができる。
【００７５】
図１１は、本発明の第９の実施形態を示す、前記図１に対応する電気かみそり器の正面図であるが、この実施形態は、前記図１０に示した第８の実施形態におけるコイルスプリング２９を廃止した例である。その他の構成は、第８の実施形態と同様である。
【００７６】
したがって、ここでは、コイルスプリング２３が、サスペンション機能を発揮する弾性体と、固定鉄心１９と可動鉄心２１とのギャップＧを維持するための弾性体とを共用している。このため、本実施形態ではサスペンション機能を有する専用の弾性体を廃止できるので、その分部品点数が減少し、コスト低下及び軽量化を達成できる。
【００７７】
図１２は、本発明の第１０の実施形態を示す、前記図１に対応する電気かみそり器の正面図であるが、この実施形態は、前記図１０に示した第８の実施形態におけるコイルスプリング２３を廃止するとともに、コイルスプリング２９を図１０のものより小径としている。その他の構成は、図１０の第８の実施形態と同様である。
【００７８】
したがって、ここでは、サスペンション機能を有するコイルスプリング２９が、固定鉄心１９と可動鉄心２１とのギャップＧを維持するための弾性体を共用している。このため、本実施形態ではギャップＧを維持するための専用の弾性体を廃止できるので、その分部品点数が減少し、コスト低下及び軽量化を達成できる。
【００７９】
図１３は、本発明の第１１の実施形態を示す、前記図１に対応する電気かみそり器の正面図であるが、この実施形態は、前記図１０に示した第８の実施形態に対し、ロッド２５の先端をグリップ部ハウジング９の空間９ａの底部９ｂに対して隙間４１を形成している。その他の構成は、図１０の第８の実施形態と同様である。
【００８０】
このような構成の第１３の実施形態においても、ソレノイド１１に対し適宜オン・オフ信号を付与することで、コイルスプリング２３が伸縮変形しつつ可動鉄心２１が固定鉄心１９に対して接近離反移動を繰り返すが、ロッド２５の先端が当初はグリップ部ハウジング９の空間９ａの底部９ｂに対して離れているので刃ヘッド３は直接振動しない。
【００８１】
その後刃ヘッド３を皮膚に押し付けていくと、ロッド２５がグリップ部ハウジング９の空間９ａの底部９ｂに当接する。この状態ではソレノイド駆動によって固定鉄心１９が可動鉄心２１に対して相対的に往復移動して振動し、この振動が刃ヘッド支持体２７を介して刃ヘッド３に伝達され、以後は図１０に示した第８の実施形態と同様の動きとなる。
【００８２】
すなわち、本実施形態においても、刃ヘッド３の皮膚に対する押し付ける力を増加させていくと、刃ヘッド支持体２７を介して固定鉄心１９が後退し、可動鉄心２１から離れ、これにより可動鉄心２１と固定鉄心１９との間のギャップＧが広がることになるので、前記した第１の実施形態と同様の効果を得ることができる。
【００８３】
また、本実施形態では、前記図７に示した第５の実施形態と同様に、刃ヘッド３を皮膚に押し付ける当初は、ソレノイド１１の振動が刃ヘッド３に伝わらないので、押し付け当初の押し付け力の過大化を抑制して不快感を抑えることができる。
【００８４】
図１４は、本発明の第１２の実施形態を示す、前記図１に対応する電気かみそり器の正面図であるが、この実施形態は、前記図１３に示した第１１の実施形態に対し、前記図７に示した第５の実施形態と同様に、グリップ部ハウジング９の空間９ａの底部９ｂに、緩衝部材としての粘弾性体３７を取り付けている。
【００８５】
したがって、第１２の実施形態では、ロッド２５の先端が、グリップ部ハウジング９の空間９ａの底部９ｂに当接して振動する際の衝撃を吸収し、衝撃音を抑えることができ、製品として信頼性が向上する。
【図面の簡単な説明】
【００８６】
【図１】本発明の第１の実施形態を示す電気かみそり器のグリップ部の一部を断面図として示す正面図である。
【図２】本発明の参考例を示す、図１に対応する電気かみそり器の正面図である。
【図３】本発明の他の参考例を示す、図１に対応する電気かみそり器の正面図である。
【図４】本発明の第２の実施形態を示す、図１に対応する電気かみそり器の正面図である。
【図５】本発明の第３の実施形態を示す、図１に対応する電気かみそり器の正面図である。
【図６】本発明の第４の実施形態を示す、図１に対応する電気かみそり器の正面図である。
【図７】本発明の第５の実施形態を示す、図１に対応する電気かみそり器の正面図である。
【図８】本発明の第６の実施形態を示す、図１に対応する電気かみそり器の正面である。
【図９】本発明の第７の実施形態を示す、図１に対応する電気かみそり器の正面である。
【図１０】本発明の第８の実施形態を示す、図１に対応する電気かみそり器の正面図である。
【図１１】本発明の第９の実施形態を示す、図１に対応する電気かみそり器の正面図である。
【図１２】本発明の第１０の実施形態を示す、図１に対応する電気かみそり器の正面図である。
【図１３】本発明の第１１の実施形態を示す、図１に対応する電気かみそり器の正面図である。
【図１４】本発明の第１２の実施形態を示す、図１に対応する電気かみそり器の正面図である。
【符号の説明】
【００８７】
１  グリップ部（かみそり器本体）
３  刃ヘッド
７  外刃
１１  ソレノイド
１９  固定鉄心
２１  可動鉄心
２３，２９  コイルスプリング（弾性体）
２５  ロッド（押し付け力伝達部）
３３  ロッドの先端と刃ヘッドとの間の隙間
３５，３７  粘弾性体（緩衝部材）
３９  粘弾性体
４１  ロッドとかみそり器本体との間の隙間
Ｇ  ギャップ（固定鉄心と可動鉄心との間隔）
【図１】
2009232890.tif 000003
【図２】
2009232890.tif 000004
【図３】
2009232890.tif 000005
【図４】
2009232890.tif 000006
【図５】
2009232890.tif 000007
【図６】
2009232890.tif 000008
【図７】
2009232890.tif 000009
【図８】
2009232890.tif 000010
【図９】
2009232890.tif 000011
【図１０】
2009232890.tif 000012
【図１１】
2009232890.tif 000013
【図１２】
2009232890.tif 000014
【図１３】
2009232890.tif 000015
【図１４】
2009232890.tif 000016